(57)【要約】【課題】  本発明は、多くの時間や労力を必要とせず、また、手術室の衛生環境を損なうことなく、きわめて簡易、迅速に、供給時の折畳み状態から器械台上に被せることができる吸収シートを提供することを目的としている。また、手術において発生した患者の血液や薬液などが接触した時、裏側へ浸透せず、床へ流れ出ない吸液性を具備する吸収シートを提供することを目的としている。【解決手段】  基材１と、吸収層２と、エアバック層３とを有する吸収シート。該吸収シートの折畳み方が、一方向へ折畳む際の面数が山折と谷折を交互に繰り返して奇数であり、前記方向とは直交する方向へ折畳む際の面数も山折と谷折を交互に繰り返して奇数となり、エアバック層３に気体または液体を流入することにより展開する。【選択図】  図１
2010063636.tif 000002
【特許請求の範囲】
【請求項１】
基材と、吸収層と、エアバック層とを有することを特徴とする吸収シート。
【請求項２】
基材と、基材上の一方の面上に吸収層を積層し、該基材の該吸収層を積層した反対側にエアバック層を積層したことを特徴とする吸収シート。
【請求項３】
前記エアバック層が、前記基材の全面に設けられたことを特徴とする請求項１又は２に記載の吸収シート。
【請求項４】
前記エアバック層が、前記基材の一方の辺から相対する他方の辺まで延伸した帯状であることを特徴とする請求項１乃至３のいずれかに記載の吸収シート。
【請求項５】
前記エアバック層が、前記記載の頂角付近から対角付近まで延伸した帯状であることを特徴とする請求項１乃至３のいずれかに記載の吸収シート。
【請求項６】
前記エアバック層が、一端から他端にむけて順次幅が変化する帯状であることを特徴とする請求項４又は５記載の吸収シート。
【請求項７】
請求項１乃至６のいずれかに記載の吸収シートであって、該吸収シートの折畳み方が、一方向へ折畳む際の面数が山折と谷折を交互に繰り返して奇数であることを特徴とする吸収シート。
【請求項８】
請求項１乃至６のいずれかに記載の吸収シートであって、該吸収シートの折畳み方が、一方向へ折畳む際の面数が山折と谷折を交互に繰り返して奇数であり、前記方向とは直交する方向へ折畳む際の面数も山折と谷折を交互に繰り返して奇数となることを特徴とする吸収シート。
【請求項９】
エアバック層に気体または液体を流入することにより展開することを特徴とする請求項１乃至８のいずれかに記載の吸収シート。
【請求項１０】
請求項１乃至８のいずれかに記載の吸収シートであって、該吸収シートが予め折畳まれてあり、エアバック層に気体または液体を流入することにより該吸収シートが展開することを特徴とする吸収シートの展開方法。
【発明の詳細な説明】
【技術分野】
【０００１】
手術で使用するメス等の各種器具類やガーゼ等を並べておくために使用する器械台及び手術台上に被せる吸収シートに関する。
【背景技術】
【０００２】
手術用の器械台は、手術に際し上部全体を覆うように台カバーを被せ、この台カバーの上から手術用のメスや鉗子等の各種器具類を設置するようになっている。また、上記台カバーは、不織布、織布、紙、合成樹脂フィルム等の種々の材料から構成され、また、細菌感染等を防止するために滅菌処理を施し、無菌包装した形態で供給される。
この台カバーは、使用に際して供給時の折畳み状態から拡げて器械台上に被せる（例えば、特許文献１及び２参照）。そして、台カバーは、手術環境を無菌状態に保つために素手では取り扱えず、また、台カバーを広げる際、未消毒の機械台側面に触れたり、床面付近の塵や埃もしくは雑菌等を舞い上げ拡散させ手術室の衛生環境を悪化させてしまう可能性があるため、多くの時間と労力を必要としていた。更に、器械台が小さいものであれば台カバーも相応に小さく比較的扱いやすいが、器械台が大きくなるとこれに伴って台カバー自体も大きくなるため扱い難くなり、複数名による作業が必要となり多くの手間がかかっていた。また、一人で作業を行なう場合には、前記のような手術室の衛生環境悪化のリスクが更に高まることとなる。
一方、器械台カバーは、手術において、患者の血液や薬液などが飛散し、また、使用された器具と接触することにより器械台が汚染されることを防止することを期待されるが、従来の台カバーにおいては、台カバーに接触する血液や薬液等の液体が多いと、裏側へ浸透し器械台自体を汚染し、更に、液体が床まで流れ出し床を汚染するという問題が生じていた。
【０００３】
【特許文献１】特開平１０−３２８２０６号公報
【特許文献２】特開平９−２３８９５２号公報
【発明の開示】
【発明が解決しようとする課題】
【０００４】
本発明は、このような課題に対処しようとするものであり、多くの時間や労力を必要とせず、また、手術室の衛生環境を損なうことなく、きわめて簡易、迅速に、供給時の折畳み状態から器械台上等に被せることができる従来の台カバーに代わる吸収シートを提供することを目的としている。また、手術において発生した患者の血液や薬液などが接触した時、裏側へ浸透せず、床へ流れ出ない吸液性を具備する吸収シートを提供することを目的としている。
【課題を解決するための手段】
【０００５】
上記目的を達成するため鋭意検討した結果、布、不織布等の基材の表面に手術中に発生した患者の血液や薬液などを吸収するための吸収層を積層し、裏面にきわめて簡易、迅速に、供給時の折畳み状態から器械台上に被せるためにシートを開くためのエアバック層を積層することにより上記目的を達成する吸収シートに至った。
すなわち、本発明の吸収シートは、基材と、吸収層と、エアバック層とを有することを特徴とする。
また、本発明の吸収シートは、基材と、基材上の一方の面上に吸収層を積層し、該基材の該吸収層を積層した反対側にエアバック層を積層したことを特徴とする。
前記エアバック層は、前記基材の全面に設けられることが好ましい。
また、前記エアバック層が、前記基材の一方の辺から相対する他方の辺まで延伸した帯状であることが好ましく、更に、前記エアバック層が、前記記載の頂角付近から対角付近まで延伸した帯状であることが好ましい。帯状のエアバック層は、一端から他端に向けて順次幅が変化することが好ましい。
【０００６】
また、本発明の吸収シートは、該吸収シートの折畳み方が、一方向へ折畳む際の面数が山折と谷折を交互に繰り返して奇数であることが好ましく、更に、吸収シートの折畳み方が、一方向へ折畳む際の面数が山折と谷折を交互に繰り返して奇数であり、前記方向とは直交する方向へ折畳む際の面数も山折と谷折を交互に繰り返して奇数となることが好ましい。
前記エアバック層は、気体または液体を流入することにより展開することが好ましい。
また、本発明の吸収シートの展開方法は、吸収シートが予め折畳まれてあり、エアバック層に気体または液体を流入することにより該吸収シートが展開することを特徴とする。
【発明の効果】
【０００７】
本発明は、多くの時間や労力を必要とせず、また、手術室の衛生環境を損なうことなく、きわめて簡易、迅速に、供給時の折畳み状態から器械台上に被せることができる吸収シート及びその展開方法を提供する。また、手術において発生した患者の血液や薬液などが接触した時、裏側へ浸透せず、床へ流れ出ない吸液性を具備する吸収シートを提供することができる。
【発明を実施するための最良の形態】
【０００８】
以下、本発明の実施の形態について図面を参照して説明する。
本発明の吸収シートＴは、図１の断面層構成に示すように少なくとも基材１と、吸収層２と、エアバック層３とを有する。図１の断面層構成おいては、基材１上の一方の面上に吸収層２を積層し、該基材１の該吸収層２を積層した反対側にエアバック層３を積層した構成となっている。本発明の吸収シートは、図１の積層構成に限らない。
【０００９】
基材１としては、編物、織物、不織布、紙状物、樹脂成型体等の柔軟な素材より構成される。材質は、特に制限はないが、例えば、綿、麻等の天然繊維、レーヨン、ナイロン、ポリエステル等の化学繊維、木材パルプ、ポリウレタン、ポリオレフィン、アクリル樹脂類等の発泡体、ゴム類等を用いることが出来る。
【００１０】
また、血液や薬液などの液体を吸収するための吸収層２は、例えば、針葉樹クラフトパルプ、広葉樹クラフトパルプ、サルファイトパルプ等の化学パルプ、ストーングラインドパルプ、サーモメカニカルパルプ、リファイナーグラインドパルプ等の機械パルプ、及び、新聞、コート紙、上質紙等から得られる再生パルプ、ケナフ、ミツマタ、ガンピ、コウゾ、麻、竹、マニラ麻等の非木材系パルプ、ガラス繊維、ポリエチレン繊維等の、セルロース繊維以外の繊維材料等を単独あるいは２種以上組み合わせてなる紙類、セルロース、再生セルロース、ポリビニルアルコール、ポリ酢酸ビニル、ポリエチレン、ポリプロピレン、エチレン−酢酸ビニル共重合体、エチレン−ビニルアルコール共重合体、ポリ塩化ビニル、ポリ塩化ビニリデン、ポリエチレンテレフタレート、ナイロン、ガラス、ロックウール、セラミック等の無機繊維等を単独であるいは２種類以上組み合わせてなる湿式及び乾式不織布、ポリビニルアルコール、ポリ酢酸ビニル、ポリウレタン、ポリエチレン、ポリプロピレン、エチレン−酢酸ビニル共重合体、エチレン−ビニルアルコール共重合体、ゴム類等からなるプラスチックフォーム、ポリアクリル酸部分中和物架橋体、澱粉−アクリロニトリルグラフト重合体の加水分解物、澱粉−アクリル酸グラフト重合体の中和物、酢酸ビニル−アクリル酸エステル共重合体のケン化物、アクリロニトリル共重合体もしくはアクリルアミド共重合体の加水分解物またはこれらの架橋体、カルボキシメチルセルロースの架橋体、カチオン性モノマーの架橋体、イソブチレン−無水マレイン酸共重合架橋体、２−アクリルアミド−２−メチルプロパンスルホン酸とアクリル酸との共重合架橋体、ポリエチレンオキシド架橋体、メトキシポリエチレングリコールとアクリル酸との共重合架橋体等の吸水性樹脂等が好適に使用できる。特に紙類はコスト、リサイクル性、圧縮されにくい点などで好ましい。
吸収層２は吸水量が特に重要で、その値は１ｍ２当たり５０ｇ以上が好ましく、さらに好ましくは１ｍ２当たり１００ｇ以上である。
なお、吸水量は、１０ｃｍ角寸法の吸収層を水中に１分間浸漬した後引き上げ、１０分間風乾後の重量を測定することにより求めることが出来る。
【００１１】
エアバック層３は、空気等の気体からなる充填材や液体等からなる充填材を吹き込むことにより膨らむ袋様の形態を呈し、吸収シートが折り畳み状態から充填材を吹き込むことによりエアバック層が膨らむ力を利用し、吸収シートを簡易、迅速に、供給時の折畳み状態から器械台上に被せるために展開させる機能を有する。
エアバック層３は、基材１の全面に設けられていてもよいが、膨らむ力を勘案し必要に応じて、様々な形状の袋に加工し積層することが出来る。例えば、図２に示すように、基材１の一方の辺から相対する他方の辺まで延伸した帯状であることが迅速に吸収シートを展開することができるため好ましい。更に、図３に示すように、エアバック層３が、頂角付近から対角付近まで延伸した帯状であることが、更に迅速に吸収シートを展開することができるため好ましい。そして、エアバック層３が、一端から他端に向けて幅が順次変化する帯状であることが、吸収シートの展開速度を調節する、例えば、一方の端側が他方の端側に比べて速いスピードで展開させることができるため好ましい。
図２及び図３におけるＡは、エアバック層３を膨らませるために気体や液体を流入させるための供給口である。
エアバック層３としては、例えば、セルロース、再生セルロース、ポリビニルアルコール、ポリ酢酸ビニル、ポリエチレン、ポリプロピレン、エチレン−酢酸ビニル共重合体、エチレン−ビニルアルコール共重合体、ポリ塩化ビニル、ポリ塩化ビニリデン、ポリエチレンテレフタレート等の紙状物、織物、フィルムなどの形態の素材を袋様に加工して用いることができる。
【００１２】
前記基材１、吸収層２、エアバック層３は、それぞれ直接もしくは接着剤、接着テープ等を介して一体化されてなる。直接一体化する際には加熱や加圧の処理、縫製などの方法を用いることが出来る。
【００１３】
本発明の吸収シートＴの折畳まれた状態は、エアバック層３を膨らませた後に迅速に展開することができれば任意に折畳むことができるが、一方向へ折畳む際の面数が山折と谷折を交互に繰り返して奇数であることが迅速に吸収シートを展開することができるため好ましい。例えば、図４（ａ）に示すように吸収シートＴの折畳む際の面数が３面のものを例示することができる。このように折畳む際の面数が山折と谷折を交互に繰り返して奇数である場合は、エアバック層３の供給口Ａから気体や液体を流入させると、エアバック層３に膨らむ力が生じて折り目が伸びることにより矢印ｘ方向に開き（図４（ｂ）参照）、吸収シートＴが迅速に展開される（図４（ｃ）参照）。
【００１４】
また、吸収シートＴを更に小さな大きさにするために、図４（ａ）の状態から更に折畳むことができる。この場合は、吸収シートＴが折畳まれた状態から展開される方向（ｘ方向）とは直交する方向（図４（ａ）におけるｙ方向）へ折畳む際の面数を山折と谷折を交互に繰り返して奇数となるように折畳むことが迅速に吸収シートを展開することができるため好ましい。図５が図４（ａ）をｙ方向に更に折畳まれた状態を示すものであり、折畳む際の面数が３面の吸収シートＴが例示されている。図５の吸収シートＴにおいては、エアバック層３の供給口Ａから気体や液体を流入させると、エアバック層３に膨らむ力が生じて折り目が伸びることにより図４（ａ）、図４（ｂ）、図４（ｃ）のように順次展開される。
なお、図４及び図５においては、基材１、吸収層２及びエアバック層３の層構成については省略し、これらを１層のものとして吸収シートＴを示している。
エアバック層３の供給口Ａから気体や液体を流入させる方法としては、任意の方法をとればよいが、例えばガスボンベ等を供給口Ａに予め取り付けておき、吸収シートＴを展開する際にガスボンベから供給する方法を挙げることができる。
【００１５】
本発明の吸収シートは、前記の構成を有するため、多くの時間や労力を必要とせず、また、手術室の衛生環境を損なうことなく、きわめて簡易、迅速に、供給時の折畳み状態から器械台上に被せることができる。また、手術において発生した患者の血液や薬液などが接触した時、裏側へ浸透せず、床へ流れ出ない吸液性を有する。
【図面の簡単な説明】
【００１６】
【図１】本発明の吸収シートの断面層構成を示す説明図である。
【図２】エアバック層３の形状を示す説明図である。
【図３】エアバック層３の他の形状を示す説明図である。
【図４】本発明の吸収シートが折畳んだ状態から展開されるまでを説明する図である。
【図５】本発明の吸収シートが折畳んだ状態を示す説明図である。
【符号の説明】
【００１７】
１    基材
２    吸収層
３    エアバック層
Ｔ    吸収シート
【図１】
2010063636.tif 000003
【図２】
2010063636.tif 000004
【図３】
2010063636.tif 000005
【図４】
2010063636.tif 000006
【図５】
2010063636.tif 000007